(57)【要約】      （修正有）【課題】使用しないときには独創的な動作でもって円形刃を囲むように覆うようにして防護効果の高いロータリーカッターの改良構造を実現する。【解決手段】カッター装着部（１２）に、第一、第二回転カバー（２１，２２）が同一の立パイプ（１３）を回転支点としてスウィングするように左右対称に設置してあり、グリップ（１１）の先端側に、ダブルフォーク型動作機構（３０）が設けてある。ダブルフォーク型動作機構（３０）は、指先で操作されるブレード制御操作部（３３）と、弾性を有する第一連動フォーク（３１）及び第二連動フォーク（３２）を有する。第一、第二連動フォークは第一、第二回転カバーとそれぞれ連結している。ブレード制御操作部（３３）が前方に移動されると、二つの回転カバーが接近して寄せ合い状態となって、円形刃から突出した刀刃部を被覆し、安全防護する。【選択図】図２
0003127896.tif 000002
【実用新案登録請求の範囲】
【請求項１】
一つのロータリーカッター本体（１０）と、一つの第一回転カバー（２１）と、一つの第二回転カバー（２２）と、一つのダブルフォーク型動作機構（３０）と、一つのピン軸（４０）と、円盤状を呈する一つの円形刃（６０）と、一つの位置制限カバー（７０）とを有し、
前記ロータリーカッター本体（１０）は、一つのグリップ（１１）及び一つのカッター装着部（１２）を含み、カッター装着部（１２）の所定部位には一組の立パイプ（１３）が形成してあり、その立パイプ（１３）の中央には一つの穴（１４）が形成してある構成であり、
前記第一回転カバー（２１）は、その片側に一つのリング（２１０）を有し、反対の片側に一つのカーブ状ストッパー（２１１）を有し、前記リング（２１０）を前記立パイプ（１３）に装着してあり、前記カーブ状ストッパー（２１１）側がスウィング可能である構成であり、
前記第二回転カバー（２２）は、その片側に一つのリング（２２０）を有し、反対の片側に一つのカーブ状ストッパー（２２１）を有し、前記リング（２２０）を前記立パイプ（１３）に装着してあり、カーブ状ストッパー（２２１）側がスウィング可能であり、前記第二回転カバー（２２）と前記第一回転カバー（２１）とが左右対称の組合せ形態なる構成であり、
前記ダブルフォーク型動作機構（３０）は、ロータリーカッター本体（１０）の上面であってグリップ（１１）カッター装着部（１２）の間の部位に取り付けてあり、前記グリップ（１１）に面した側に、一つのブレード制御操作部（３３）を有し、前記カッター装着部（１２）に面した側に、弾性を有する第一連動フォーク（３１）及び第二連動フォーク（３２）を有し、前記第一連動フォーク（３１）の末端が第一回転カバー（２１）のカーブ状ストッパー（２２１）を含む側と連結してあり、第二連動フォーク（３２）の末端が第二回転カバー（２２）のカーブ状ストッパー（２２２）を含む側と連結してある構成であり、
前記ピン軸（４０）は、その片側に拡径したピンヘッド（４１）を有し、立パイプ（１３）の穴（１４）を貫通しており、前記拡径したピンヘッド（４１）によって前述の第一、第二回転カバー（２１、２２）を牽制しており、前記ピン軸（４０）の先端は立パイプ（１３）の穴（１４）を貫通し、一つの位置決めパーツ（５０）によって固定されており、且つ、前記ピン軸（４０９のピンヘッド（４１）９近接した側には一つのカッター装着エリア（４２）が設けてある構成であり、
前記円形刃（６０）は、その周辺が刀刃部（６１）となっており、中央には一組の装着穴（６２）が設けられ、円形刃（６０）はその装着穴（６２）によって前記ピン軸（４０）のカッター装着エリア（４２）に取り付けられている構成であり、
前記位置制限カバー（７０）は、前記ダブルフォーク型動作機構（３０）の外部と対応するように前記ロータリーカッター本体（１０）の片側に取り付けてあり、前記ダブルフォーク型動作機構（３０）を牽制している構成であり、
前記ダブルフォーク型動作機構（３０）の移動に応じて、前記第一、第二回転カバー（２１、２２）が前記立パイプ（１３）を回転支点として互いスウィングし、接近して前記第一、第二回転カバー（２１、２２）が寄せ合い状態となったとき、前記カーブ状ストッパー（２１１、２２１）は一つの弧形ガードとして繋がり、前記円形刃（６０）の刀刃部（６１）の前半部を囲むように被覆し、前記第一、第二回転カバー（２１、２２）が遠く離れた状態となったとき、前記円形刃（６０）の刀刃部（６１）の前半部が前記カッター装着部（１２）より突き出し、カッターとして使用可能な状態となる構成としたことを特徴とするロータリーカッターの改良構造。
【請求項２】
請求項１に記載のロータリーカッターの改良構造において、
前記第一、第二回転カバー（２１、２２）のカーブ状ストッパー（２１１、２２１）を有する側は四分の一の円形プレート形態であることを特徴とするロータリーカッターの改良構造。
【請求項３】
請求項１に記載のロータリーカッターの改良構造において、
前記ダブルフォーク型動作機構（３０）のブレード制御操作部（３３）及び第一、第二連動フォーク（３１、３２）はプラスチックの一体射出成形によって成形したものであり、前記ブレード制御操作部（３３）は凸ボタン形状を有し、前記位置制限カバー（７０）に形成してある溝（７１）より突き出た構成としたことを特徴とするロータリーカッターの改良構造。
【請求項４】
請求項３に記載のロータリーカッターの改良構造において、
前記ダブルフォーク型動作機構（３０）は、前記ブレード制御操作部（３３）と前記第一、第二連動フォーク（３１、３２）の間の所定区域の底面に一つの突起支持ブロック（３５）を有する構成であり、
前記突起支持ブロック（３５）が前記ロータリーカッター本体（１０）に当接していることによって、前記ブレード制御操作部（３３９は前記ロータリーカッター本体（１０）より高く持ち上げられて浮いた状態となり、前記ブレード制御操作部（３３）と前記ロータリーカッター本体（１０）との間に押込み操作したときに下降できるスペースが形成された構成としたことを特徴とするロータリーカッターの改良構造。
【請求項５】
請求項１に記載のロータリーカッターの改良構造において、
前記ピン軸（４０）は、その先端側に、一つの環状凹溝（４３）を有し、
前記位置決めパーツ（５０）は、ロータリーカッター本体（１０）の下面にスライド可能に設けてあり、その端部に、前記環状凹溝（４３）と嵌合する凹溝（５２）を有し、
前記位置決めパーツ（５０）の前記凹溝（５２）が前記環状凹溝（４３）と嵌合して、前記ピン軸（４０）が固定され、前記位置決めパーツ（５０）がスライドされて前記凹溝（５２）が前記環状凹溝（４３）から分離した状態では、前記ピン軸（４０）を上方へ引き抜いて立パイプ（１３９の穴（１４）から外すことが可能となって、前記円形刃（６０）の交換作業が可能な状態となることを特徴とするロータリーカッターの改良構造。
【請求項６】
請求項１に記載のロータリーカッターの改良構造において、
前記ダブルフォーク型動作機構（３０）は、前記第一連動フォーク（３１９及び第二連動フォーク（３２）の夫々末端に凸円柱（３４ａ，３４ｂ）を有し、
前記第一回転カバー（２１）は、カーブ状ストッパー（２２１）を含む側に円形ホール（２４ａ）を有し、
前記第二回転カバー（２２）は、カーブ状ストッパー（２２２）を含む側に円形ホール（２４ｂ）を有し、
前記第一連動フォーク（３１）の末端の凸円柱（３４ａ）が前記第一回転カバー（２１）の円形ホール（２４ａ）に嵌合し、前記第二連動フォーク（３２）の末端の凸円柱（３４ｂ）が前記第二回転カバー（２２）の円形ホール（２４ｂ）に嵌合している構成としたことを特徴とするロータリーカッターの改良構造。
【考案の詳細な説明】
【技術分野】
【０００１】
本考案はロータリーカッターの改良構造に係り、特に、ロータリーカッター構造におけるカッターの新型安全構造に関する。
【背景技術】
【０００２】
ロータリーカッターは文具に属する一種の裁断用品であり、主な用途はペーパー書類の裁断である。一般の工作用カッターと異なり、ロータリーカッターの刃は円盤状となっており、円盤カッターをペーパーの上で転がすだけで簡単にペーパーをカットできる構造となっている。
【０００３】
しかし、ロータリーカッターの刃は円盤状になっているため、一般の工作用カッターによく利用される折り畳み収納方式を適用することができない。現在、ロータリーカッターの切刃の収納形態としてよく見られるのは、切刃の片側に一つのブレードカバーを設置し、そのブレードカバーを前方に押すとブレードカバーは切刃に被さり、防護の効果を果たすようにした構成である。
【考案の開示】
【考案が解決しようとする課題】
【０００４】
このような既存設計は切刃の片側しかカバーできず、実際は切刃の周辺の刀刃部位を全部カバーしきれないため、理想的な安全防護效果を得ることが出来ない。ブレードカバーの付いていない側に不意に指を当てると怪我する恐れがある。
【０００５】
よって、上述の既存のロータリーカッター之カッター安全構造の問題点を改善し、より理想的で実用性を伴った新型構造を開発することは業界の目指すところである。
【０００６】
本考案者は長年関連製品の設計開発に携わってきた経験を活かし、上述の目標を達成すべく、工夫を凝らした設計を取り入れ、慎重に評価を重ねた後にやっとこのような実用性をもったロータリーカッターを考案した。
【０００７】
本考案は、上記課題を解決したロータリーカッターの改良構造を提供することを目的とする。
【課題を解決するための手段】
【０００８】
本考案は、一つのロータリーカッター本体（１０）と、一つの第一回転カバー（２１）と、一つの第二回転カバー（２２）と、一つのダブルフォーク型動作機構（３０）と、一つのピン軸（４０）と、円盤状を呈する一つの円形刃（６０）と、一つの位置制限カバー（７０）とを有し、
前記ロータリーカッター本体（１０）は、一つのグリップ（１１）及び一つのカッター装着部（１２）を含み、カッター装着部（１２）の所定部位には一組の立パイプ（１３）が形成してあり、その立パイプ（１３）の中央には一つの穴（１４）が形成してある構成であり、
前記第一回転カバー（２１）は、その片側に一つのリング（２１０）を有し、反対の片側に一つのカーブ状ストッパー（２１１）を有し、前記リング（２１０）を前記立パイプ（１３）に装着してあり、前記カーブ状ストッパー（２１１）側がスウィング可能である構成であり、
前記第二回転カバー（２２）は、その片側に一つのリング（２２０）を有し、反対の片側に一つのカーブ状ストッパー（２２１）を有し、前記リング（２２０）を前記立パイプ（１３）に装着してあり、カーブ状ストッパー（２２１）側がスウィング可能であり、前記第二回転カバー（２２）と前記第一回転カバー（２１）とが左右対称の組合せ形態なる構成であり、
前記ダブルフォーク型動作機構（３０）は、ロータリーカッター本体（１０）の上面であってグリップ（１１）カッター装着部（１２）の間の部位に取り付けてあり、前記グリップ（１１）に面した側に、一つのブレード制御操作部（３３）を有し、前記カッター装着部（１２）に面した側に、弾性を有する第一連動フォーク（３１）及び第二連動フォーク（３２）を有し、前記第一連動フォーク（３１）の末端が第一回転カバー（２１）のカーブ状ストッパー（２２１）を含む側と連結してあり、第二連動フォーク（３２）の末端が第二回転カバー（２２）のカーブ状ストッパー（２２２）を含む側と連結してある構成であり、
前記ピン軸（４０）は、その片側に拡径したピンヘッド（４１）を有し、立パイプ（１３）の穴（１４）を貫通しており、前記拡径したピンヘッド（４１）によって前述の第一、第二回転カバー（２１、２２）を牽制しており、前記ピン軸（４０）の先端は立パイプ（１３）の穴（１４）を貫通し、一つの位置決めパーツ（５０）によって固定されており、且つ、前記ピン軸（４０９のピンヘッド（４１）９近接した側には一つのカッター装着エリア（４２）が設けてある構成であり、
前記円形刃（６０）は、その周辺が刀刃部（６１）となっており、中央には一組の装着穴（６２）が設けられ、円形刃（６０）はその装着穴（６２）によって前記ピン軸（４０）のカッター装着エリア（４２）に取り付けられている構成であり、
前記位置制限カバー（７０）は、前記ダブルフォーク型動作機構（３０）の外部と対応するように前記ロータリーカッター本体（１０）の片側に取り付けてあり、前記ダブルフォーク型動作機構（３０）を牽制している構成であり、
前記ダブルフォーク型動作機構（３０）の移動に応じて、前記第一、第二回転カバー（２１、２２）が前記立パイプ（１３）を回転支点として互いスウィングし、接近して前記第一、第二回転カバー（２１、２２）が寄せ合い状態となったとき、前記カーブ状ストッパー（２１１、２２１）は一つの弧形ガードとして繋がり、前記円形刃（６０）の刀刃部（６１）の前半部を囲むように被覆し、前記第一、第二回転カバー（２１、２２）が遠く離れた状態となったとき、前記円形刃（６０）の刀刃部（６１）の前半部が前記カッター装着部（１２）より突き出し、カッターとして使用可能な状態となる構成としたことを特徴とする。
【考案の効果】
【０００９】
ダブルフォーク型動作機構（３０）の移動に連動して、第一、第二回転カバー（２１、２２）が接近する方向或いは離れる方向にスウィングする構成であるため、簡単な機構でもって防護効果の高いロータリーカッター構造を実現できる。
【考案を実施するための最良の形態】
【００１０】
以下、本考案の実施例になるロータリーカッターの改良構造におけるカッターの新型安全構造について説明する。
【実施例】
【００１１】
図１は本考案の実施例１になるロータリーカッターの斜視図、図２は図１のロータリーカッターを分解して示す斜視図、図３は円形刃が防護された状態（ロータリーカッターを使用していない時の状態）を示す図、図４は円形刃が露出した状態（ロータリーカッターの使用時の状態）を示す図、図５は円形刃が防護された状態のロータリーカッターの断面図である。
【００１２】
図１乃至図５、特に図２を参照するに、ロータリーカッターＡは、一つのロータリーカッター本体１０と、一つの第一回転カバー２１と、一つの第二回転カバー２２と、一つのダブルフォーク型動作機構３０と、一つのピン軸４０と、円盤状を呈する一つの円形刃６０と、一つの位置制限カバー７０とを有する。矢印Ｂはグリップ１１の元の方向（後方）であり、矢印Ｃはロータリーカッター本体１０の先端の方向（前方）である。
【００１３】
ロータリーカッター本体１０は、一つのグリップ１１及び一つのカッター装着部１２を含み、カッター装着部１２の所定部位には一組の立パイプ１３が形成してあり、その立パイプ１３の中央には一つの穴１４が形成してある。
【００１４】
第一回転カバー２１は、その片側に一つのリング２１０を有し、反対の片側に一つのカーブ状ストッパー２１１を有する。第一回転カバー２１は、リング２１０を利用して第一回転カバー２１を前述の立パイプ１３に装着してあり、カーブ状ストッパー２１１側は立パイプ１３を回転支点としてスウィング動作を行うことが可能である。
【００１５】
第二回転カバー２２は、その片側に一つのリング２２０を有し、反対の片側に一つのカーブ状ストッパー２２１を有する。第二回転カバー２２は、リング２２０を利用して第二回転カバー２２を前述の立パイプ１３に装着してあり、カーブ状ストッパー２２１側は立パイプ１３を回転支点としてスウィング動作を行うことが可能である。よって、第二回転カバー２２と第一回転カバー２１は左右対称の組合せ形態であってかつ同時に作動できる同心組合せ形態となっている。
【００１６】
ダブルフォーク型動作機構３０は、ロータリーカッター本体１０の上面であってグリップ１１とカッター装着部１２の間の部位に取り付けてある。このダブルフォーク型動作機構３０は、グリップ１１に面した側に、一つのブレード制御操作部３３を有し、カッター装着部１２に面した側に、弾性を有する第一連動フォーク３１及び第二連動フォーク３２を有する。第一連動フォーク３１及び第二連動フォーク３２は夫々末端に凸円柱３４ａ，３４ｂを有する。凸円柱３４ａは、第一回転カバー２１のカーブ状ストッパー２２１を含む側の円形ホール２４ａと嵌合している。凸円柱３４ｂは、第二回転カバー２２のカーブ状ストッパー２２２を含む側の円形ホール２４ｂと嵌合している。
【００１７】
ピン軸４０は、その片側に拡径したピンヘッド４１を有し、立パイプ１３の穴１４を貫通しており、拡径したピンヘッド４１によって前述の第一、第二回転カバー２１、２２を牽制している。ピン軸４０の先端は立パイプ１３の穴１４を貫通し、一つの位置決めパーツ５０によって固定されている。ピン軸４０のピンヘッド４１に近接した側には一つのカッター装着エリア４２が設けてある（図５参照）。
【００１８】
円形刃６０は、その周辺が刀刃部６１となっており、中央には一組の装着穴６２が設けられ、円形刃６０はその装着穴６２によって前述のピン軸４０のカッター装着エリア４２に取り付けられている。
【００１９】
位置制限カバー７０は、ダブルフォーク型動作機構３０の外部と対応するように前述のロータリーカッター本体１０の片側に取り付けてあり、ダブルフォーク型動作機構３０を牽制している。
【００２０】
上記の構造において、第一、第二回転カバー２１、２２のカーブ状ストッパー２１１、２２１を有する側は四分の一の円形プレート形態である。
【００２１】
ダブルフォーク型動作機構３０のブレード制御操作部３３及び第一、第二連動フォーク３１、３２はプラスチックの一体射出成形によって成形してある。
【００２２】
ダブルフォーク型動作機構３０のブレード制御操作部３３は凸ボタン形状を有する。位置制限カバー７０には、ブレード制御操作部３３と対応する箇所に、一つの溝７１が形成してある。凸ボタン形状のブレード制御操作部３３は、溝７１より外部に突き出ており、手の指先で押し引き操作が可能である。
【００２３】
また、図２に示すように、ダブルフォーク型動作機構３０は、ブレード制御操作部３３と第一、第二連動フォーク３１、３２の間の所定区域の底面に一つの突起支持ブロック３５が形成してある。図５に示すように、この突起支持ブロック３５がロータリーカッター本体１０に当接していることによって、ブレード制御操作部３３は高く持ち上げられて浮いた状態となり、押込み操作したときに下降できるスペースが形成される。本設計の主な目的は、図７に示すようにブレード制御操作部３３が押されて下降して傾斜状態となったときに、ブレード制御操作部３３と指先との間の摩擦抵抗が増えるようにして、無駄な力をかけずにより楽に操作できるようにすることである。
【００２４】
図２に示すように、位置決めパーツ５０は、上面に間隔を空けて二つの引っ掛け具５１を有し、端部に一つの凹溝５２を有する。ピン軸４０の先端側には、一つの環状凹溝４３が形成してある。位置決めパーツ５０は、二つの引っ掛け具５１をロータリーカッター本体１０の対応位置に間隔を空けて相対位置に設けられた二つの長形スライドガイドレール１５に挿入させて、ロータリーカッター本体１０の下面に、前後（Ｂ，Ｃ方向）にスライド可能に設けてあり、スライド式パーツである。位置決めパーツ５０はロータリーカッター本体１０の先端方向（Ｃ方向）に移動した位置にあり、この状態では、凹溝５２がピン軸４０の環状凹溝４３に嵌合しており（図５を参照）、ピン軸４０は回転可能ではあるけれども、固定されて抜け出ない状態になる。
【００２５】
ここで、円形刃６０の交換作業について説明する。図６に示すように、位置決めパーツ５０を後方（Ｂ方向）に引く。位置決めパーツ５０を後方（Ｂ方向）に引くと（即ちロータリーカッター本体１０のグリップ１１方向）、凹溝５２はピン軸４０の環状凹溝４３から分離する。この状態で、ピン軸４０を上方へ引き抜いて立パイプ１３の穴１４から外し、円形刃６０の交換作業を行うことができる。
【００２６】
次に、上述の構造、設計に基づいた本考案になるロータリーカッターＡの使用状況について説明する。
【００２７】
図３が示すように（図１、図２を参照）、使用者がダブルフォーク型動作機構３０のブレード制御操作部３３を前方（Ｃ方向、即ちロータリーカッター本体１０のカッター装着部１２の方向）に押したとき、弾性を有する第一連動フォーク３１及び第二連動フォーク３２は同時に前方に移動し、このとき、第一、第二回転カバー２１、２２は第一、第二連動フォーク３１、３２の牽制を受けて作動する。そして、第一、第二回転カバー２１、２２は立パイプ１３を回転支点として互いにＤ１、Ｅ１方向にスウィングしながら接近し、第一、第二回転カバー２１、２２が寄せ合い状態となったとき、カーブ状ストッパー２１１、２２１は一つの弧形ガードとして繋がり、円形刃６０の刀刃部６１の前半部を囲むように被覆し、安全防護の役割を果たす。
【００２８】
また、図４が示すように（図２を同時に参照）、使用者がダブルフォーク型動作機構３０のブレード制御操作部３３を後方（Ｂ方向、即ちロータリーカッター本体１０のグリップ１１の元の方向）に引いたとき、弾性を有する第一連動フォーク３１及び第二連動フォーク３２は同時に後方に移動し、この時、第一、第二回転カバー２１、２２は第一、第二連動フォーク３１、３２の牽制を受けて作動する。そして、第一、第二回転カバー２１、２２は立パイプ１３を回転支点として夫々Ｄ２、Ｅ２方向にスウィングしながら分離する。第一、第二回転カバー２１、２２が遠く離れた状態となったとき、円形刃６０刀刃部６１の前半部はカッター装着部１２より突き出してカッターとして使用可能な状態となる。
【００２９】
図８は本考案になる円形刃形態の別の実施例を示す。図２に示す前述の円形刃６０の刀刃部６１ウェーブ刃となっているが、図８に示す円形刃６０Ｂの刀刃部６１Ｂはストレート形態となっている。
【００３０】
本考案になるロータリーカッターＡは、以下に記載する効果を有する。
１．本考案のロータリーカッターＡのカッター装着部１２は、左右対称の第一、第二回転カバー２１、２２を設置し、二つの回転カバーは同一の立パイプ１３を回転支点としてスウィング移動を行うとともに、一つのダブルフォーク型動作機構３０によって開閉を制御するという独創的な新型設計を採用している。このような新型構造により、ダブルフォーク型動作機構３０のブレード制御操作部３３が前後に移動すると、二つの回転カバー２１、２２は隣接または分離状態を呈し、二つの回転カバー２１、２２が寄せ合い状態となった時、円形刃６０から突出した刀刃部６１は被覆され、安全防護の役割を果たすことができる。そして、二つの回転カバー２１、２２が分離状態となったとき、円形刃６０はカッターとして使用可能な状態となる。これにより既存構造と異なる斬新的なロータリーカッター構造を提供し、消費者の様々な需要に応えることができる。
２．本考案における二つ回転カバー２１、２２が寄せ合い状態となった時、カーブ状ストッパー２１１、２２１は円形刃６０の刀刃部６１の前半部の間隔位置に被覆するように一つの弧形ガードとして繋がり、円形刃６０の刀刃部を確実にカバーし、円形刃６０の任意の側面から触れても、ケガをすることのないより実用的で進歩性を有した効果の高い安全設計となっている。
３．ブレード制御操作部３３と第一、第二連動フォーク３１、３２の間の所定区域の底面に一つの突起支持ブロック３５を設置すると、ブレード制御操作部３３は高く持ち上げられて浮いた状態となり、押込み操作によって下降できるスペースが形成される。ブレード制御操作部３３が押されて下降して傾斜状態となったときにブレード制御操作部３３と指先との間の摩擦抵抗を増やし、無駄な力をかけずにより楽に操作できるように構造となっている。
【００３１】
本考案は、この技術分野を熟知した人員は本考案の精神及び原則を逸脱しない限り、本考案に変更または改良を加えることができる。しかし、それらの変更または改良は全て本願の実用新案登録請求の範囲の範疇に含まれるものである。
【図面の簡単な説明】
【００３２】
【図１】本考案の実施例１になるロータリーカッターの斜視図である。
【図２】図２は図１のロータリーカッターを分解して示す斜視図である。
【図３】円形刃が防護された状態（ロータリーカッターを使用していない時の状態）を示す図である。
【図４】円形刃が露出した状態（ロータリーカッターの使用時の状態）を示す図である。
【図５】円形刃が防護された状態のロータリーカッターの断面図である。
【図６】円形刃の交換作業を説明する図である。
【図７】ブレード制御操作部を指先で操作したときの状態を示す図である。
【図８】本考案のカッター形態の別の実施例を示す図である。
【符号の説明】
【００３３】
Ａ      ロータリーカッター
１０      ロータリーカッター本体
１１      グリップ
１２      カッター装着部
１３      立パイプ
１４      穴
２１      第一回転カバー
２２      第二回転カバー
２４ａ    円形ホール
２４ｂ    円形ホール
３０      ダブルフォーク型動作機構
３１      第一連動フォーク
３２      第二連動フォーク
３３      ブレード制御操作部
３４ａ、３４ｂ    凸円柱
３５      突起支持ブロック
４０      ピン軸
４１      ピンヘッド
４２      カッター装着エリア
４３      環状凹溝
５０      位置決めパーツ
５１      引っ掛け具
５２      凹溝
６０，６０Ｂ    円形刃
６１，６１Ｂ    刀刃部
６２      装着穴
７０      位置制限カバー
７１      溝
２１０    リング
２１１    カーブ状ストッパー
２２０    リング
２２１    カーブ状ストッパー
【図１】
0003127896.tif 000003
【図２】
0003127896.tif 000004
【図３】
0003127896.tif 000005
【図４】
0003127896.tif 000006
【図５】
0003127896.tif 000007
【図６】
0003127896.tif 000008
【図７】
0003127896.tif 000009
【図８】
0003127896.tif 000010